(57)【要約】【課題】手袋を着けていても、しっかりと手をつないでいることができる二人用手袋を提供すること。【解決手段】二人の右手と左手とを、掌を合わせた二人の両手首から手の甲にかけて包む共用部（４）と、この共用部に連通して設けられた十の指筒部とからなり、五つの指筒部（５ａ，５ｂ，５ｃ，５ｄ，５ｅ）に一方の人の右手の五指、他の五つの指筒部（６ａ，６ｂ，６ｃ，６ｄ，６ｅ）に他方の人の左手の五指をそれぞれ入れて共用部内で二人の掌を合わせて着用可能とした。【選択図】図２
2006207079.tif 000002
【特許請求の範囲】
【請求項１】
二人の右手と左手とを、掌を合せた形で二人の両手首から手の甲にかけて包む共用部（４）（１４）と、この共用部に連通して設けられた十の指筒部（５ａ，５ｂ，５ｃ，５ｄ，５ｅ，６ａ，６ｂ，６ｃ，６ｄ，６ｅ）（１５ａ，１５ｂ，１５ｃ，１５ｄ，１５ｅ，１６ａ，１６ｂ，１６ｃ，１６ｄ，１６ｅ）とからなり、五つの指筒部（５ａ，５ｂ，５ｃ，５ｄ，５ｅ）（１５ａ，１５ｂ，１５ｃ，１５ｄ，１５ｅ）に一方の人の右手の五指、他の五つの指筒部（６ａ，６ｂ，６ｃ，６ｄ，６ｅ）（１６ａ，１６ｂ，１６ｃ，１６ｄ，１６ｅ）に他方の人の左手の五指をそれぞれ入れて共用部内で二人の掌を合わせて着用可能とする二人用手袋。
【請求項２】
前記共用部（４）は、二人の手の甲を掌を合せた形で一緒に包む甲包み部（７）と、二人の手首を一緒に包む手首包み部（８）とからなる請求項１に記載の二人用手袋。
【請求項３】
右手の手指を入れる五つの指筒部（５ａ，５ｂ，５ｃ，５ｄ，５ｅ）と左手の手指を入れる五つの指筒部（６ａ，６ｂ，６ｃ，６ｄ，６ｅ）とを交互に配置したことを特徴とする請求項２に記載の二人用手袋。
【請求項４】
前記共用部（１４）は、二人の手の甲を掌を合せた形で一緒に包む甲包み部（１７）と、二人の手首を別々に包む一対の手首包み部（１８ａ，１８ｂ）とからなる請求項１に記載の二人用手袋。
【請求項５】
前記十の指筒部（１５ａ，１５ｂ，１５ｃ，１５ｄ，１５ｅ，１６ａ，１６ｂ，１６ｃ，１６ｄ，１６ｅ）は、一方の人のおや指用指筒部（１５ａ）と人さし指用指筒部（１５ｂ）との間に、他方の人の人さし指から小指までの四つの指筒部（１６ｂ，１６ｃ，１６ｄ，１６ｅ）を配置し、一方の人のおや指用指筒部（１５ａ）を他方の人のおや指用指筒部（１６ａ）と人さし指用指筒部（１６ｂ）との間に配置したことを特徴とする請求項４に記載の二人用手袋。
【発明の詳細な説明】
【技術分野】
【０００１】
本発明は、二人で手をつないで着用できる二人用手袋に関する。
【背景技術】
【０００２】
お年寄りや患者のリハビリを行なう介護の現場では、介護者がお年寄りや患者と手をつないで介護を行なうことがあるが、寒い季節には手袋を着けて介護を行なうこともある。
【発明の開示】
【発明が解決しようとする課題】
【０００３】
寒い季節に手袋を着けてつないで介護を行なっていると、介護者が被介護者の手をうっかり離してしまい、被介護者に危険が及ぶ恐れがあった。
【０００４】
また、親子で手をつないで歩くときも、手袋を着けているとしっかりと手をつないでいることができず、うっかり手を離して子供が転んでしまったり、迷子になったりする恐れがあった。
【０００５】
本発明はこのような問題を解消するためになされたもので、手袋を着けていてもしっかりと手をつないでいることができる二人用手袋を提供することを目的とする。
【課題を解決するための手段】
【０００６】
本発明の二人用手袋は、二人の右手と左手とを、掌を合せた形で両手首から手の甲にかけて包む共用部と、この共用部に連通して設けられた十の指筒部とからなり、五つの指筒部に一方の人の右手の五指、他の五つの指筒部に他方の人の左手の五指をそれぞれ入れて共用部内で二人の掌を合せた形で着用可能とするものである。
【０００７】
前記共用部は、二人の手の甲を掌を合せた形で一緒に包む甲包み部と、二人の手首を一緒に包む手首包み部とで構成してもよい。
【０００８】
この場合は、右手の手指を入れる五つの指筒部と左手の手指を入れる五つの指筒部とを交互に配置するとよい。
【０００９】
また、前記共用部は、二人の手の甲を掌を合せた形で一緒に包む甲包み部と、二人の手首を別々に包む一対の手首包み部とで構成してもよい。
【００１０】
この場合は、ほぼ、一方の人のおや指用指筒部と人さし指用指筒部との間に、他方の人の人さし指から小指までの四つの指筒部を配置し、一方の人のおや指用指筒部を、ほぼ、他方の人のおや指用指筒部と人さし指用指筒部との間に配置するとよい。
【発明の効果】
【００１１】
本発明の二人用手袋は、五つの指筒部に一方の人の右手の五指、他の五つの指筒部に他方の人の左手の五指をそれぞれ入れて、二人の掌を合せた形で両者の手首から手の甲にかけて共用部で包むようになるので、寒い季節に介護者がお年寄りや患者と手をつないでリハビリを行なう介護の現場では、介護者が被介護者の手を離してしまう恐れがなく、お年寄りや患者を安全に介護することができる。また、掌が直に触れ合うことでお互いの信頼関係も高められ、精神面からも介護の効果を高めることができる。なお、介護者と被介護者のあいた方の手には、普通の手袋を着用すればよい。
【００１２】
また、この二人用手袋を親子で使用した場合も、親子がしっかりと手をつないでいることができ、手袋を着けていてもつないだ手をうっかり離してしまう恐れはなく、手を離して子供が転んでしまったり迷子になることを防止できる。この場合も、親子のあいた方の手には、普通の手袋を着用すればよい。
その他、この二人用手袋は夫婦や恋人同士で着用するにも適したものとなる。
【００１３】
共用部を、二人の手の甲を掌を合せた形で一緒に包む甲包み部と、二人の手首を一緒に包む手首包み部とで構成すると、二人の掌から手首にかけて密着させて手をつなぐことができる。
【００１４】
更に、右手の手指を入れる五つの指筒部と左手の手指を入れる五つの指筒部とを交互に配置すると、二人が指を組み合わせた形で手をつなぐことができる。
【００１５】
また、共用部を、二人の手の甲を掌を合せた形で一緒に包む甲包み部と、二人の手首を別々に包む一対の手首包み部とで構成すると、掌を合わせて手をつないだ状態でも、お互いの手首から上は自由になる。
【００１６】
更に、一方の人のおや指用指筒部と人さし指用指筒部との間に、他方の人の人さし指から小指までの四つの指筒部を配置し、一方の人のおや指用指筒部を他方の人のおや指用指筒部と人さし指用指筒部との間に配置すると、互いに握手をしているような形（右手と左手なので、正確には握手の形ではないが）で手をつなぐことができる。
【発明を実施するための最良の形態】
【００１７】
以下、本発明の第一の実施の形態を、図１ないし図４を参照して説明する。
【００１８】
図１は二人用手袋１を介護者と被介護者の二人で着用している状態を示すもので、介護者の右手と被介護者の左手をつないだ状態で、二人用手袋１を着用している。介護者の左手には普通の左側手袋２、被介護者の右手には普通の右側手袋３を着用している。
【００１９】
二人用手袋１は、図２に示す如く、二人の右手と左手とを互いの手首から手の甲にかけて包む共用部４と、十の指筒部５ａ，５ｂ，５ｃ，５ｄ，５ｅ，６ａ，６ｂ，６ｃ，６ｄ，６ｅとで構成されている。五つの指筒部５ａ，５ｂ，５ｃ，５ｄ，５ｅには一方の人（例えば介護者）の右手の五指を入れ、他の五つの指筒部６ａ，６ｂ，６ｃ，６ｄ，６ｅには他方の人（例えば被介護者）の左手の五指を入れて着用する。
【００２０】
前記共用部４は、二人の掌を合わせた形で手の甲を一緒に包む甲包み部７と、二人の手首を一緒に包む手首包み部８とからなる。
【００２１】
図３は、図２のＡＡ矢視断面図であるが、この図に示す如く、五つの指筒部５ａ，５ｂ，５ｃ，５ｄ，５ｅと他の五つの指筒部６ａ，６ｂ，６ｃ，６ｄ，６ｅとは交互に配置され、指筒部６ａ，６ｂ，６ｃ，６ｄを指筒部５ａ，５ｂ，５ｃ，５ｄ，５ｅの間々に位置させている。
【００２２】
この二人用手袋１は、右手を入れる部分と左手を入れる部分とが一体化されているが、これらを分けて図示すると、図４（ａ）と図４（ｂ）のようになる。いずれも手首から掌にかけて開放されているが、両者を合せることによって、共用部４が構成される。
【００２３】
そこで、介護者と被介護者が手をつなぐとき、この二人用手袋１を着用すると、五つの指筒部に介護者の人の右手の五指、他の五つの指筒部に被介護者の左手の五指をそれぞれ入れることができ、二人の掌を合せた形で両者の手首から手の甲にかけて共用部４で包まれる。特に、二人の掌を合わせた形で手の甲の部分は甲包み部７で一緒に包まれ、二人の手首部分は密着した状態で手首包み部８によって包まれる。
【００２４】
また、指筒部５ａ，５ｂ，５ｃ，５ｄ，５ｅと指筒部６ａ，６ｂ，６ｃ，６ｄ，６ｅが交互に配置されているので、介護者と被介護者が指を交互に組み合わせた形で手をつなぐこともできる。
【００２５】
従って、寒い季節に介護者がお年寄りや患者と手をつないでリハビリを行なう介護の現場では、この二人用手袋を使用することにより、介護者が被介護者の手をうっかり離してしまう恐れがなくしっかりと手をつないでいることができ、お年寄りや患者を安全に介護することができる。また、掌が直に触れ合うことでお互いの信頼関係も高められ、精神面からも介護の効果を高めることができる。なお、介護者と被介護者のあいた方の手には、普通の手袋２，３を着用すればよい。
【００２６】
この二人用手袋は、親子、夫婦、恋人同士で着用するにも適したものとなる。そこで、色や柄は用途に応じて選択すると良い。右手部分と左手部分の色や柄を変えることによっても、デザインに変化をもたせることができる。更に、素材によってデザイン上の変化をもたせることもできる。
【００２７】
なお、指筒部５ａ，５ｂ，５ｃ，５ｄ，５ｅと指筒部６ａ，６ｂ，６ｃ，６ｄ，６ｅは、着用する二人のうち大きい手の人に合わせて同じ大きさにしておけば、介護者の右手と被介護者の左手をつなぐときと、介護者の左手と被介護者の右手をつなぐときのいずれにも対応できる。
【００２８】
また、親子用としては、指筒部５ａ，５ｂ，５ｃ，５ｄ，５ｅが指筒部６ａ，６ｂ，６ｃ，６ｄ，６ｅより大きいものと、指筒部５ａ，５ｂ，５ｃ，５ｄ，５ｅが指筒部６ａ，６ｂ，６ｃ，６ｄ，６ｅより小さいものの二つの二人用手袋１を用意しておけば、親の右手と子供の左手をつなぐときと、親の左手と子供の右手をつなぐときとで使い分けることができ、二つを同時に使って親子向かい合って両手をつなぐこともできる。
【００２９】
次に、本発明の第二の実施の形態を、図５ないし図７を参照して説明する。
この実施の形態における二人用手袋１１は、図５の如く、共用部１４が、二人の手の甲を掌を合せた形で一緒に包む甲包み部１７と、二人の手首を別々に包む一対の手首包み部１８ａ，１８ｂとで構成されている。
【００３０】
また十の指筒部１５ａ，１５ｂ，１５ｃ，１５ｄ，１５ｅ，１６ａ，１６ｂ，１６ｃ，１６ｄ，１６ｅは、次のように配置されている。
すなわち、ほぼ、一方の人のおや指用指筒部１５ａと人さし指用指筒部１５ｂとの間に、他方の人の人さし指から小指までの四つの指筒部１６ｂ，１６ｃ，１６ｄ，１６ｅが配置され、一方の人のおや指用指筒部１５ａを、ほぼ、他方の人のおや指用指筒部１６ａと人さし指用指筒部１６ｂとの間に配置されている。
【００３１】
この二人用手袋１１を、右手を入れる部分と左手を入れる部分に分けて図示すると、図６（ａ）と図６（ｂ）のようになる。すなわち図６（ａ）、図６（ｂ）のいずれも部分も掌を覆う部分を欠如した形状になっていて、両者を合せることによって、甲包み部１７が構成される。
【００３２】
介護者と被介護者で手をつなぐとき、この二人用手袋１１を着用するには、介護者は一方の手首包み部１８ａから右手を入れて五つの指筒部１５ａ，１５ｂ，１５ｃ，１５ｄ，１５ｅに五指を入れ、被介護者は他方の手首包み部１８ｂから左手を入れて他の五つの指筒部１６ａ，１６ｂ，１６ｃ，１６ｄ，１６ｅに五指を入れる。そうすると、甲包み部１７内で二人の掌が合い、かつ、図７に示すように、お互い握手したような形（右手と左手なので、正確には握手の形ではないが）でしっかりと手をつなぐことができ、介護者がうっかり被介護者の手を離してしまう恐れがなく、お年寄りや患者を安全に介護することができる。またこの実施の形態においても、掌が直に触れ合うことでお互いの信頼関係も高められ、精神面からも介護の効果を高めることができる。
【００３３】
また、手首包み部１８ａ，１８ｂはお互い別々になっているので、お互いの手首から上は自由になる。
【００３４】
なお、この実施の形態においても、指筒部１５ａ，１５ｂ，１５ｃ，１５ｄ，１５ｅと指筒部１６ａ，１６ｂ，１６ｃ，１６ｄ，１６ｅを同じ大きさにしておけば、介護者の右手と被介護者の左手をつなぐときと、介護者の左手と被介護者の右手をつなぐときのいずれにも対応できる。
【００３５】
また、この実施の形態においても、親子で着用するために、指筒部１５ａ，１５ｂ，１５ｃ，１５ｄ，１５ｅが指筒部１６ａ，１６ｂ，１６ｃ，１６ｄ，１６ｅより大きいものと、指筒部１５ａ，１５ｂ，１５ｃ，１５ｄ，１５ｅが指筒部１６ａ，１６ｂ，１６ｃ，１６ｄ，１６ｅより小さいものの二つを用意しておけば、親の右手と子供の左手をつなぐときと、親の左手と子供の右手をつなぐときとで使い分けることができ、二つを同時に使えば親子向かい合って両手をつなぐこともできる。
更に、前記実施の形態と同様、用途に応じて色や柄や素材を選択し、デザインに変化をもたせると良い。
【図面の簡単な説明】
【００３６】
【図１】第１の実施の形態における二人用手袋の着用状態を示す説明図である。
【図２】同実施の形態における二人用手袋の斜視図である。
【図３】図２のＡＡ矢視断面図である。
【図４】同実施の形態における二人用手袋を右手を入れる部分と左手を入れる部分に分けて示した平面図である。
【図５】第２の実施の形態における二人用手袋の斜視図である。
【図６】同実施の形態における二人用手袋を右手を入れる部分と左手を入れる部分に分けて示した平面図である。
【図７】同実施の形態における二人用手袋の着用状態を示す説明図である。
【符号の説明】
【００３７】
１，１１  二人用手袋
４，１４  共用部
５ａないし５ｅ，６ａないし６ｅ，１５ａないし１５ｅ，１６ａないし１６ｅ  指筒部
７，１７  甲包み部
８，１８ａ，１８ｂ  手首包み部
【図１】
2006207079.tif 000003
【図２】
2006207079.tif 000004
【図３】
2006207079.tif 000005
【図４】
2006207079.tif 000006
【図５】
2006207079.tif 000007
【図６】
2006207079.tif 000008
【図７】
2006207079.tif 000009